(57)【要約】  本発明は、光起電力システム（１）の絶縁抵抗の単一障害許容型判定のための方法に関する。光起電力システム（１）は、インバータ（２）と、前記インバータに接続された太陽光発電機（３）と、を備える。絶縁抵抗は、抵抗回路網（８）で降下する試験電圧に従って判定される。抵抗回路網（８）は、第１の端子（１１）を介してインバータ（２）のインバータブリッジ（６）の中間点（５）に、第２の端子（１２）を介して太陽光発電機（３）の第１の極（１７）に、及び、絶縁リレー（９）を介して第３の端子（１３）によって、インバータ（２）の接地端子（１５）に接続されている。キャパシタ（１４）が、接地端子（１５）と、太陽光発電機（３）の第１の極（１７）との間に配置されている。この方法は、任意の順序で以下のステップ、すなわち、絶縁リレー（９）が閉じられると、太陽光発電機（３）の第１の極（１７）を第１の端子（１１）に接続するステップ（ステップ２１）と、絶縁リレー（９）が閉じられると、太陽光発電機（３）の第２の極（１８）を第１の端子（１１）に接続するステップ（ステップ２２）と、絶縁リレー（９）が閉じられると、インバータブリッジ（６）によって第１の端子（１１）で交流電圧を発生させるステップ（ステップ２３）と、絶縁リレー（９）が開かれると、インバータブリッジ（６）によって第１の端子（１１）で交流電圧を発生させるステップ（ステップ２４）と、を含む。ステップ２３とステップ２４との間の試験電圧の振幅を比較することによって、絶縁リレー（９）の機能試験が行われる。本発明はさらに、この方法を実行するように設計されたインバータ（２）に関する。【選択図】図１
2020523963.tif 000002
【特許請求の範囲】
【請求項１】
インバータ（２）と、前記インバータに接続された太陽光発電機（３）と、を備える光起電力システム（１）の絶縁抵抗の単一障害許容型判定のための方法であって、前記絶縁抵抗が、抵抗回路網（８）の試験電圧降下に相関して判定され、前記抵抗回路網（８）が、第１の端子（１１）を経由して可変電圧源（２０）に、第２の端子（１２）を経由して前記太陽光発電機（３）の第１の極（１７）に、及び、第３の端子（１３）を経由して絶縁リレー（９）を介して前記インバータ（２）の接地端子（１５）に接続され、キャパシタ（１４）が、前記接地端子（１５）と、前記太陽光発電機（３）の前記第１の極（１７）との間に配置されている方法において、任意の順序で以下のステップ、すなわち、
−  前記絶縁リレー（９）が閉じられると、前記可変電圧源（２０）によって、第１のＤＣ電圧値を前記第１の端子（１１）に印加するステップ（ステップ２１）と、
−  前記絶縁リレー（９）が閉じられると、前記可変電圧源（２０）によって、第２のＤＣ電圧値を前記第１の端子（１１）に印加するステップ（ステップ２２）と、
−  前記絶縁リレー（９）が閉じられると、前記可変電圧源（２０）を用いて前記第１の端子（１１）でＡＣ電圧を生成するステップ（ステップ２３）と、
−  前記絶縁リレー（９）が開かれると、前記可変電圧源（２０）を用いて前記第１の端子（１１）で前記ＡＣ電圧を生成するステップ（ステップ２４）と、を含むとともに、前記絶縁リレー（９）の機能が、ステップ２３とステップ２４との間の前記試験電圧の振幅を比較することにより試験されることを特徴とする方法。
【請求項２】
請求項１に記載の方法において、前記絶縁抵抗が、ステップ２１とステップ２２との間の前記試験電圧の差異に相関して判定されることを特徴とする方法。
【請求項３】
請求項１又は２に記載の方法において、前記インバータ（２）がグリッド（４）から分離されている間に実行されることを特徴とする方法。
【請求項４】
請求項１〜３の何れか１項に記載の方法において、前記可変電圧源が、前記インバータ（２）のインバータブリッジ（６）によって形成され、前記インバータブリッジが、前記太陽光発電機（３）の前記第１の極（１７）と第２の極（１８）との間に配置されており、前記インバータブリッジ（６）の中間点（５）が、好ましくはグリッドフィルタ（７）を介して、前記第１の端子（１１）に接続されていることを特徴とする方法。
【請求項５】
請求項４に記載の方法において、前記第１のＤＣ電圧値が、前記第１の極（１７）との接続によって前記抵抗回路網（８）の前記第１の端子（１１）に印加され、前記第２のＤＣ電圧値が、前記第２の極（１８）との接続によって前記抵抗回路網（８）の前記第１の端子（１１）に印加されることを特徴とする方法。
【請求項６】
請求項１〜５の何れか１項に記載の方法において、前記ＡＣ電圧が、前記第１の端子（１１）におけるグリッド周波数で生成されることを特徴とする方法。
【請求項７】
請求項１〜６の何れか１項に記載の方法において、前記方法が、以下の順序、すなわち、ステップ２４、次にステップ２３が続き、次にステップ２１が続き、次にステップ２２が続く順序で実行されることを特徴とする方法。
【請求項８】
請求項１〜７の何れか１項に記載の方法において、前記絶縁リレー（９）の前記機能の前記試験、又は前記絶縁抵抗の前記判定により、許容できない結果が得られた場合に、前記方法が再度実行されることを特徴とする方法。
【請求項９】
請求項１〜８の何れか１項に記載の方法において、負の機能試験の場合、又は絶縁抵抗が許容できないほど低いと判定された場合には、障害信号が生成されることを特徴とする方法。
【請求項１０】
請求項１〜９の何れか１項に記載の方法において、前記試験電圧が、前記太陽光発電機（３）の前記第１の極（１７）に接続された抵抗器の両端の電圧降下として判定されることを特徴とする方法。
【請求項１１】
請求項１〜１０の何れか１項に記載の方法において、前記第１の端子（１１）が、制限抵抗器を介して前記第３の端子（１３）に接続されていることを特徴とする方法。
【請求項１２】
請求項１〜１１の何れか１項に記載の前記方法を実行するように構成されていることを特徴とするインバータ（２）。
【発明の詳細な説明】
【技術分野】
【０００１】
本発明は、光起電力システムの絶縁抵抗の単一障害許容型判定のための方法、及びこの方法を実行するように構成されたインバータに関する。
【背景技術】
【０００２】
光起電力システムの動作を開始する前に、安全上の理由で、接続されている太陽光発電機が、基準電位としての接地電位に対して十分に高い抵抗を有しているかどうかを判定することが必要である。概して、この試験は少なくとも、インバータを接続されているグリッドに接続することによって、光起電力システムの動作を開始する前に実行される。
【０００３】
特許文献欧州特許出願公開第１  ８５７  ８２５  Ａ１号明細書、及び欧州特許出願公開第２  ２３０  ５２２  Ａ１号明細書は、いずれの場合も、絶縁抵抗を判定する目的で、直流電流源の１つの極によって接地端子への電流路を交互に確立し、各場合に発生する電流の流れを互いに比較する方法についてそれぞれ記載している。
【０００４】
さらに、特許文献独国特許第１０  ２０１２  １０４  ７５２  Ｂ３号明細書は、インバータのハーフブリッジのブリッジスイッチによって交流電流路を提供し、グリッド周波数未満にあることが好ましい周波数でＡＣ電圧によって比較の対象となる電流の流れが駆動可能であることを記載している。ここでは、電流路は、絶縁抵抗の判定中に接地スイッチを閉じることによって確立される。
【０００５】
この方法では、接地スイッチが故障した場合、特に、接地スイッチが正しく閉じない場合には、測定結果が得られるが、この測定結果は、高い絶縁抵抗に、場合によっては判定不可能なほど高い絶縁抵抗に類似しており、したがって、存在する真の絶縁状態とは無関係に安全な絶縁状態を示唆している。この事例に対抗する保護を行うために、適切に寸法決めされた比較抵抗器を介して接地端子を直流電流源の極に接続することで、比較抵抗器の抵抗値よりも高い絶縁抵抗が判定された場合に、障害のある接地スイッチを推測できるようにすることが可能である。しかしながら、この手順の短所は、これによりインバータの固有の絶縁特性が永続的に低下するということである。
【０００６】
或いは、非常時動作中に中性線が接地導体に接続されているはずである非常用発電機システムの場合には、独国特許第１０  ２０１５  １０２  ４６８  Ｂ３号明細書は、この接続を試験する目的で、したがって、試験対象となる接続上に測定電流を発生させるために、電流低減素子を介して、電圧がそこに印加されている導体を接地導体に接続することを提案している。ここでは、上記の試験電流の結果生じる短所もまた存在する。
【発明の概要】
【０００７】
したがって、本発明は、光起電力システムのインバータの絶縁特性を損なうことなく、障害のある接地スイッチが識別可能な、光起電力システムの絶縁抵抗を判定するための方法を提供することを目的とする。
【０００８】
この目的は、独立請求項１に記載の方法によって実現される。本発明による方法の有利な構成が従属請求項において記載されている。この方法は、インバータにおいて使用することができる。
【０００９】
本発明による、絶縁抵抗の単一障害許容型判定のための方法は、インバータと、このインバータに接続された太陽光発電機と、を備える光起電力システム内で実行することができ、この絶縁抵抗は、抵抗回路網の試験電圧降下に相関して判定され、この抵抗回路網は、第１の端子を経由して可変電圧源に、第２の端子を経由して太陽光発電機の第１の極に、及び、第３の端子を経由して絶縁リレーを介してインバータの接地端子に接続されている。キャパシタは、接地端子と、太陽光発電機の第１の極との間に配置されている。本発明による方法は、任意の順序で以下のステップ、すなわち、
−  絶縁リレーが閉じられると、可変電圧源によって、第１のＤＣ電圧値を第１の端子に印加するステップ（ステップＡ）と、
−  絶縁リレーが閉じられると、可変電圧源によって、第２のＤＣ電圧値を第１の端子に印加するステップ（ステップＢ）と、
−  絶縁リレーが開かれると、可変電圧源を用いて第１の端子でＡＣ電圧を生成するステップ（ステップＣ）と、
−  絶縁リレーが閉じられると、可変電圧源を用いて第１の端子でＡＣ電圧を生成するステップ（ステップＤ）と、を含む。
絶縁リレーの機能は、ＡＣ電圧が生成される２つのステップの間の試験電圧の振幅を比較することにより試験される。キャパシタは、閉じた絶縁リレーの場合には、ＡＣ電流を流すことができる確定されたインピーダンスを形成するので、試験電圧の振幅は、絶縁リレーを切り換えることによって変化する。しかしながら、インバータのＤＣ絶縁特性は、このキャパシタによって不利な方法で変更されることはなく、インバータのＥＭＣ挙動もまた向上させる。
【００１０】
有利な点として、絶縁抵抗は、第１のＤＣ電圧値及び第２のＤＣ電圧値がそれぞれ、第１の端子に印加されるステップ間の試験電圧の差異に相関して判定することができる。
【００１１】
本発明による方法を実行するとき、インバータは、グリッドから分離されていることが好ましい。例として、絶縁抵抗は、グリッドに接続する前の午前中に判定される。この接続は、絶縁抵抗の大きさが許容可能な場合、及び、機能する絶縁リレーの場合にのみ実行される。
【００１２】
可変電圧源がインバータのインバータブリッジによって形成され、前記インバータブリッジが第１の極と第２の極との間に配置され、前記インバータブリッジの中間点が、好ましくはグリッドフィルタを介して、抵抗回路網の第１の端子に接続されていれば、特に有利である。ここでは、第１のＤＣ電圧値及び第２のＤＣ電圧値は、第１の極及び第２の極にそれぞれ接続されている第１の端子によって、単にインバータブリッジのスイッチのうちの１つをそれぞれ持続して閉じることによって、印加することができる。
【００１３】
本発明による方法の好適な実施形態の変形例では、ＡＣ電圧は、第１の端子におけるグリッド周波数で生成される。しかしながら、異なる周波数、特に、グリッド周波数よりも高い周波数を使用することもまた想定できる。これにより、絶縁リレーが開かれているときの電圧振幅と比較して、絶縁リレーが閉じられたときのキャパシタによる電圧振幅の減衰に対する影響が増幅される。
【００１４】
好ましくは、第１の端子は、グリッドフィルタを経由してインバータブリッジの中間点に接続されている。これにより、判定された試験電圧無線周波数から、ＡＣ電圧の生成時にハーフブリッジによって生成されたＡＣ電圧信号が効果的に除去される。
【００１５】
絶縁リレーの切り換えプロセスの回数を最小限に抑えるために、絶縁リレーが閉じられたときに実行されるステップを連続的に実行することが有利である。さらに、ハーフブリッジによってＡＣ電圧を発生させる２つのステップを連続して実行することが有利である。ステップを実行するのに特に適切な順序は、最初にステップＣを、次にステップＤを、次にステップＡを、続いてステップＢを実行する。しかしながら、最初にステップＡ及びステップＢを、続いてステップＤを、そして最後にステップＣを実行することが同様に想定できる。ただし、これは他の順序を排除しないものとする。
【００１６】
１つの変形例では、絶縁リレーの機能の試験、又は絶縁抵抗の判定により、許容できない結果が得られた場合に、この方法が再度実行される。例として、ステップＤにおいて判定された振幅がステップＣにおいて判定された振幅よりも大きい場合に、これが当てはまる。しかしながら、方法全体を繰り返すのではなく、個々の方法ステップ、例えば、ステップＣ及びステップＤだけを繰り返すこともまた可能である。光起電力システムの意図した動作を許可しないある特定の絶縁抵抗の場合の結果を検証するために、方法（又はステップＡ及びステップＢのみ）を再度実行することもまた可能である。絶縁リレーの負の機能試験の場合には、第１の障害信号を生成することができ、判定された絶縁抵抗が、光起電力システムの許容できる動作には低すぎる場合には、第２の障害信号を生成することができる。第１の障害信号及び／又は第２の障害信号は、光起電力システム内で、若しくは光起電力システムの外部の受信機に転送することができる。
【００１７】
１つの実施形態では、試験電圧は、太陽光発電機の第１の極に接続された抵抗器の両端の電圧降下として判定することができる。特に、インバータの測定電子機器の部品が、第１の極の電位を基準電位として使用する場合には、これは有利である。さらには、抵抗回路網は、第１の端子と第３の端子との間に配置され、特に、絶縁リレーが閉じられたときに、絶縁抵抗が極端に低い場合に流れる電流を制限する制限抵抗器を有する場合がある。
【００１８】
本発明によるインバータは、この方法を実行するように構成され、インバータの制御電子機器によって方法ステップを制御する。
【００１９】
以下に、図面を用いて本発明をより詳細に説明することにする。
【図面の簡単な説明】
【００２０】
【図１】図１は、本発明による方法を実行するためのインバータを示す。
【図２】図２は、本発明による方法を実行するためのインバータの好適な実施形態を示す。
【図３】図３は、本発明による方法のフローチャートを示す。
【図４ａ】図４ａは、欠陥のある絶縁リレーの場合の試験電圧の例示的な時間曲線を示す。
【図４ｂ】図４ｂは、無傷の絶縁リレーの場合の試験電圧の例示的な時間曲線を示す。
【発明を実施するための形態】
【００２１】
図１は、本発明による方法を実行するように構成されたインバータ２を示す。太陽光発電機３が、インバータ２の第１の極１７及び第２の極１８に接続されている。ＤＣ／ＡＣコンバータ２１が、入力側で極１７、極１８の両方と接続され、太陽光発電機３のＤＣ電力をＡＣ電力に変換する役割を果たし、これは、出力側でグリッドフィルタ７及びグリッドリレー１０を介して、グリッド端子１６で、接続されたグリッド４に給電するために供給される。太陽光発電機３の絶縁抵抗の単一障害許容型判定の目的で、抵抗回路網８の第１の端子に接続された可変電圧源２０が設けられ、この抵抗回路網８は、第１の極１７に接続された第２の端子１２と、絶縁リレー９を介して接地端子１５に接続された第３の端子１３と、をさらに有する。抵抗回路網８の試験電圧降下が、測定装置１９によって判定される。さらに、キャパシタ１４が、接地端子１５を第１の極１７に接続している。キャパシタ１４は、Ｙキャパシタとも呼ばれ、とりわけ、インバータ２のＥＭＣ挙動を向上させる役割を果たす場合が多い。
【００２２】
可変電圧源２０は、ＤＣ電圧源、例えば、キャパシタによって形成することができ、抵抗器の直列回路とスイッチとの中間点を介して第１の端子で電圧を供給し、この電圧は、スイッチの切り換え状態によって可変に設定することができる。例として、キャパシタは、インバータ２に内蔵された電源によって所定の電圧に充電することができる。必要な電力は、太陽光発電機３及びグリッド４の両方から得ることができる。可変電圧源２０は、太陽光発電機の電位を基準とする固定電位を有するとともに、図１に破線で示されているように、例えば、第１の極１７に直接１つの極で接続されている。
【００２３】
絶縁リレー９が適切な切り換え状態である場合には、本発明による方法のステップに従って、絶縁リレー９及び可変電圧源２０の適切な作動によって、第１の端子１１で異なる電圧曲線を生成することが可能であり、且つ、個々のステップにおいて試験電圧又はその振幅を確認することが可能である。方法のステップは、インバータ２がグリッド４に接続される前に実行されることが好ましく、また、グリッドリレー１０は、絶縁抵抗の判定により、機能する絶縁リレー９と、接続されている太陽光発電機３の十分に高い絶縁抵抗との両方が得られた後にのみ閉じられる。
【００２４】
図２は、可変電圧源がインバータブリッジ６によって形成されているインバータ２の有利な実施形態を示すが、このインバータブリッジは第１の極１７と第２の極１８との間に配置されており、その中間点５は、ブリッジ出力として、グリッドフィルタ７を介して抵抗回路網８の第１の端子１１に接続されている。本発明による方法の範囲内でＤＣ電圧を第１の端子１１に印加すること、及び、この端子でＡＣ電圧を生成することが、インバータブリッジ６のスイッチの適切な作動によって実施される。特に、第１のＤＣ電圧値は、一方のハーフブリッジスイッチを持続して閉じることによって、第１の端子１１に印加することができ、この結果、第１の極（１７）が第１の端子１１に接続される。したがって、他方のハーフブリッジスイッチを持続して閉じることによって、第２のＤＣ電圧値を第１の端子１１に印加することができ、この結果、第２の極１８が第１の端子１１に接続される。ＡＣ電圧は、既知のやり方で両方のハーフブリッジスイッチを交互にクロック作動させることによって、第１の端子１１で発生させることができる。
【００２５】
本事例では、抵抗回路網８は抵抗電圧分割器で構成され、それは、第１の端子１１と、第２の端子１２との間に直列に接続された３つの抵抗器を備える。第１の端子１１に接続された抵抗器と、中心の抵抗器との間の中間点は、第３の端子１３に接続されている。測定装置１９は、試験電圧を判定するが、この試験電圧は、第２の端子１２に接続された電圧分割器の抵抗器の両端で降下する。
【００２６】
図３は、本発明による方法の手順を示し、この手順は、例えば、図１又は図２に記載のインバータを使用して実行される。第１のステップ２１において、絶縁リレーが閉じられると、可変ＤＣ電圧源によって第１のＤＣ電圧値が、抵抗回路網の第１の端子に印加される。例として、太陽光発電機の第１の極は、抵抗回路網の第１の端子に接続されている。この接続は、太陽光発電機の第１の極に接続されているインバータのハーフブリッジの第１のスイッチを閉じることによって実施することができる。
【００２７】
第２のステップ２２において、可変ＤＣ電圧源によって第２のＤＣ電圧値が抵抗回路網の第１の端子に印加され、絶縁リレーも同様に閉じられている。例として、太陽光発電機の第２の極は、第１の端子に接続されている。この接続は、太陽光発電機の第２の極に接続されているインバータのハーフブリッジの第２のスイッチを閉じることによって実施することができる。
【００２８】
第３のステップ２３において、絶縁リレーが閉じられている間に、特に、第１の極と第２の極との間に配置されたインバータブリッジを介して、可変ＤＣ電圧源によってＡＣ電圧が第１の端子で生成される。第４のステップ２４において絶縁リレーが開かれている間に、ＡＣ電圧は、第１の端子で可変ＤＣ電圧源によって引き続き生成される。
【００２９】
この方法では、ステップ２１〜ステップ２４を任意の順序で実行することができる。各ステップにおいて、それぞれ１つの試験電圧が確認され、前記試験電圧は、抵抗回路網の抵抗器の両端で降下している。第５のステップ２５において、第３のステップ２３と第４のステップ２４との間の試験電圧の振幅を比較することによって、絶縁リレーの機能試験が実行される。さらに、第６のステップ２６において、ステップ２１〜ステップ２４の範囲内で確認された試験電圧から、絶縁抵抗が判定される。好ましくは、絶縁抵抗は、第１のステップ２１、及び第２のステップ２２において確認された試験電圧間の差異から判定される。しかしながら、絶縁抵抗を判定するときに、第３のステップ２３、及び／又は第４のステップ２４における試験電圧の振幅を考慮に入れることもまた想定できる。同様に、第５のステップ２５の前に第６のステップ２６を実行すること、又は、第５のステップ２５の結果、機能する絶縁リレーが得られたという条件下でのみ、前記第６のステップを実行することが想定できる。
【００３０】
本発明による方法が実行される間にあり得る、障害のある絶縁リレーの場合の試験電圧の曲線３０が図４ａに示されており、一方、図４ｂは、無傷の絶縁リレーの場合の試験電圧の曲線３１を示している。
【００３１】
示されている曲線では、最初に第４のステップ２４が時間Ｔ０まで実行され、この結果、振幅
2020523963.tif 000003
を有するＡＣ電圧が試験電圧として発生する。続いて、第３のステップ２３が、インバータのハーフブリッジを介してＡＣ電圧が生成される間に絶縁リレーが閉じられているおかげで、時間Ｔ１まで実行される。振幅
2020523963.tif 000004
を有するＡＣ電圧が第３のステップ２３の間に試験電圧として発生する。図３ａの基礎となっているシナリオでは、絶縁リレーは例えば、リレー接点が腐食しているために閉じないといったような、又は、例えば、リレー接点が溶接されているためにステップ２３、ステップ２４の両方の間に閉じているといったような、欠陥がある。ここから生じるのは、振幅
2020523963.tif 000005
が振幅
2020523963.tif 000006
と相違がないか、又は実質的に相違がない、ということである。
【００３２】
続いて、第１のステップ２１が、時間Ｔ２まで実行され、次に、第２のステップ２２が、時間Ｔ３まで実行される。絶縁リレーは、時間Ｔ３において再度開かれる。絶縁抵抗の値は、第１のステップ２１及び第２のステップ２２で確認された試験電圧間で生じている差異△Ｕから確認することができる。ただし、絶縁リレーに欠陥がある場合には、例えば、動作に許容可能な大きさの絶縁抵抗値は、絶縁リレーを閉じることができない場合、存在する太陽光発電機の真の絶縁抵抗とは無関係に判定されるので、判定された値は、したがって信頼できない。この場合、もし絶縁リレーの停止が識別されなければ、光起電力システムの許容できない動作が発生する可能性がある。
【００３３】
絶縁リレーが無傷の場合には、次に、図３ｂによる試験電圧の曲線３１に従って、振幅
2020523963.tif 000007
を有するＡＣ電圧が、第４のステップ２４の間に試験電圧として同様に発生し、振幅
2020523963.tif 000008
を有するＡＣ電圧が、第３のステップ２３の間に同様に発生する。絶縁リレーを閉じると、少なくとも接地端子と太陽光発電機の第１の極との間のキャパシタを介して、太陽光発電機のあり得る絶縁抵抗とは無関係に、印加されたＡＣ電圧に追加の電流路が提供されるので、第３のステップ２３の間の振幅
2020523963.tif 000009
は、第４のステップ２４の間の振幅
2020523963.tif 000010
よりも小さい。振幅のこの差異は、機能する絶縁リレーを診断するために使用される。例として、機能する絶縁リレーの場合と、機能しない絶縁リレーの場合とを区別する閾値を、振幅間の差異又は比率として事前に決定することができる。
【００３４】
接地端子と、太陽光発電機の第１の極との間にキャパシタがあるために、特に第１のステップ２１と第２のステップ２２との間に、再充電プロセスもまた発生する。したがって、絶縁抵抗測定を判定する目的で試験電圧を測定する前に、それぞれの再充電プロセスを待つことができるようにするために、十分な時間が残るように、第１のステップ２１の期間、及び第２のステップ２２の期間を設計することが有利である。再充電プロセスの期間は、キャパシタのキャパシタンス値、及び抵抗回路網の抵抗値を選ぶことによって、適切に選ぶことができる。当然ながら、再充電プロセスの間の電圧の曲線を取り込んで、試験電圧を判定するときにこれを考慮に入れることもまた可能である。再充電プロセスの間の電圧曲線を評価すると、通常、減衰期間を伴う指数関数曲線を有し、特に、キャパシタのキャパシタンス値がわかっている場合には、太陽光発電機の浮遊キャパシタンスによって生じた追加のキャパシタンス成分を定量的に取り込み、続いて、光起電力システムの動作中に前記追加のキャパシタンス成分を考慮することが可能になる。この取り込みは、開いているか、又は閉じられている絶縁リレーを用いて、ステップ２３、及びステップ２４の間の試験電圧の振幅を評価することによって実施することもまた可能である。
【符号の説明】
【００３５】
１  光起電力システム
２  インバータ
３  太陽光発電機
４  グリッド
５  中間点
６  インバータブリッジ
７  グリッドフィルタ
８  抵抗回路網
９  絶縁リレー
１０  グリッドリレー
１１  端子
１２  端子
１３  端子
１４  キャパシタ
１５  接地端子
１６  グリッド端子
１７  極
１８  極
１９  測定装置
２０  可変電圧源
２１〜２６  ステップ
２７  ＤＣ／ＡＣコンバータ
３０、３１  曲線
【図１】
2020523963.tif 000011
【図２】
2020523963.tif 000012
【図３】
2020523963.tif 000013
【図４ａ−４ｂ】
2020523963.tif 000014
【国際調査報告】
2020523963.tif 000015
2020523963.tif 000016
2020523963.tif 000017
2020523963.tif 000018